(57)【要約】【課題】不正な景品の流通を従来よりも減らす。【解決手段】交換用景品に、他の交換用景品と識別するための景品識別情報を記録したＩＣタグを設けておき、クレジットカード会社Ｃ１で交換用景品をポイントと交換するまでに、卸部門またはクレジットカード会社Ｃ１のＩＣタグリーダライタＲＳ２、ＲＳ３を用いてその交換用景品のＩＣタグから景品識別情報を読み取り、その景品識別情報を取引管理サーバ１０に設けられている景品データベースに記憶させ、買取店に持ち込まれた交換用景品のＩＣタグから景品識別情報をＩＣタグリーダライタＲＳ４によって読み取り、その景品識別情報が景品データベースに記憶されているいずれかの景品識別情報と一致する場合に、その持ち込まれた交換用景品が本物であると判別する。【選択図】図１
2006350623.tif 000002
【特許請求の範囲】
【請求項１】
サービスを利用した顧客が当該サービスの提供者から獲得したポイントと交換するための景品である交換用景品の真贋を判別する景品真贋判別方法であって、
前記交換用景品が当該交換用景品を販売する業者から前記サービスの提供者に対して販売されるまでに、当該交換用景品を他の交換用景品と識別するための識別情報を記録した記録媒体を当該交換用景品に設けておき、
前記交換用景品を前記ポイントと交換するまでに、当該交換用景品の前記記録媒体から前記景品識別情報を読み取り、
読み取った前記景品識別情報を景品識別情報記憶手段に記憶させ、
買取店に持ち込まれた前記交換用景品の前記記録媒体から前記景品識別情報を読み取り、
買取店に持ち込まれた前記交換用景品の前記記録媒体から読み取った前記景品識別情報が前記景品識別情報記憶手段に記憶されているいずれかの前記景品識別情報と一致する場合に、当該交換用景品が本物であると判別する、
ことを特徴とする景品真贋判別方法。
【請求項２】
サービスを利用した顧客が当該サービスの提供者から獲得したポイントと交換するための景品である交換用景品が適正に流通しているものであるか否かを判別する景品流通正当性判別方法であって、
前記交換用景品が当該交換用景品を販売する業者から前記サービスの提供者に対して販売されるまでに、当該交換用景品を他の交換用景品と識別するための識別情報を記録した記録媒体を当該交換用景品に設けておき、
前記交換用景品と前記ポイントとの交換を行う際に、当該交換用景品の前記記録媒体から前記景品識別情報を読み取る処理および今回の交換を以前に行われた交換と識別するための交換識別情報を記録した証明書を顧客に対して発行する処理を実行し、
前記ポイントと交換された前記交換用景品の前記交換識別情報を、当該交換用景品の前記景品識別情報と対応付けて交換識別情報記憶手段に記憶させ、
買取店に持ち込まれた前記交換用景品の前記記録媒体から前記景品識別情報を読み取る処理および当該交換用景品とともに持ち込まれた前記証明書に記録されている前記交換識別情報を入力する処理を実行し、
買取店に持ち込まれた前記交換用景品の前記記録媒体から読み取った前記景品識別情報に対応する、前記交換識別情報記憶手段に記憶されている前記交換識別情報と入力した前記交換識別情報とが一致する場合に、当該交換用景品が適正に流通しているものであると判別する、
ことを特徴とする景品流通正当性判別方法。
【請求項３】
サービスを利用した顧客が当該サービスの提供者から獲得したポイントと交換するための景品である交換用景品の真贋を判別する景品真贋判別システムであって、
前記交換用景品と前記ポイントと交換するまでに、当該交換用景品を前記サービスの提供者に販売した業者が当該交換用景品に対して与えた、他の交換用景品と識別するための景品識別情報を、当該交換用景品に設けられている記録媒体から読み取る、第一の読取手段と、
前記第一の読取手段によって読み取られた前記景品識別情報を記憶する景品識別情報記憶手段と、
買取店に持ち込まれた前記交換用景品の前記記録媒体から前記景品識別情報を読み取る第二の読取手段と、
前記第二の読取手段によって読み取られた前記景品識別情報が前記景品識別情報記憶手段に記憶されているいずれかの前記景品識別情報と一致する場合に、当該読み取られた景品識別情報に係る前記交換用景品が本物であると判別する、真贋判別手段と、
を有することを特徴とする景品真贋判別システム。
【請求項４】
前記記録媒体は、ＩＣタグであり、
前記第一の読取手段および前記第二の読取手段は、ＩＣタグリーダである、
請求項３記載の景品真贋判別システム。
【請求項５】
サービスを利用した顧客が当該サービスの提供者から獲得したポイントと交換するための景品である交換用景品が適正に流通しているものであるか否かを判別する景品流通正当性判別システムであって、
前記交換用景品と前記ポイントと交換するまでに、当該交換用景品を前記サービスの提供者に販売した業者が当該交換用景品に対して与えた、他の交換用景品と識別するための景品識別情報を、当該交換用景品に設けられている記録媒体から読み取る、第一の読取手段と、
前記交換用景品と前記ポイントとの交換を以前に行われた交換と識別するための交換識別情報を記録した証明書を顧客に対して発行する証明書発行手段と、
前記ポイントと交換された前記交換用景品の前記交換識別情報を、前記第一の読取手段によって読み取られた当該交換用景品の前記景品識別情報と対応付けて記憶する交換識別情報記憶手段と、
買取店に持ち込まれた前記交換用景品の前記記録媒体から前記景品識別情報を読み取る第二の読取手段と、
前記交換用景品とともに持ち込まれた前記証明書に記録されている前記交換識別情報を入力する交換識別情報入力手段と、
前記第二の読取手段によって読み取られた前記交換用景品の前記景品識別情報に対応する、前記交換識別情報記憶手段に記憶されている前記交換識別情報が、前記交換識別情報入力手段によって入力された、当該交換用景品とともに持ち込まれた前記証明書の前記交換識別情報と一致する場合に、当該交換用景品が適正に流通しているものであると判別する、正当性判別手段と、
を有することを特徴とする景品流通正当性判別システム。
【発明の詳細な説明】
【技術分野】
【０００１】
本発明は、クレジットカード会社または航空会社などのサービス提供者が顧客に対して与えたポイントとの交換用の景品の真贋または流通の正当性をその景品を買い取る買取店において判別するための方法およびシステムに関する。
【背景技術】
【０００２】
クレジットカード会社、航空会社、または百貨店などのサービス提供者は、自社のサービスを利用してくれた顧客に対して取引金額などに応じてポイントを与える。顧客は、自分が獲得したポイント数に応じてサービス提供者から景品を貰うことができる。このようなポイント交換方法によって、自社のサービスの利用の促進を図ろうとしている。景品として、食器、食品、日用品、電化製品、優待券、または商品券などが用いられることが多い。
【特許文献１】特許第２９０５２５２号公報
【発明の開示】
【発明が解決しようとする課題】
【０００３】
ところで、近年、消費者のニーズが多様化しており、金、銀、または白金などの貴金属地金に興味を持つ消費者が今後増えるであろうと考えられる。また、特許文献１に記載されるように、貴金属地金の小塊を埋め込んだ安価なプラスチックカードが記念品や贈答品として手軽に広く用いられている。よって、今後、このプラスチックカードがポイントとの交換用の景品としても用いられることが考えられる。
【０００４】
このプラスチックカードは、少量ながら貴金属地金を埋め込んでいることから、ポイントとの交換後も取引対象となり得る。例えば、貴金属店がプラスチックカードを顧客から買い取ることが考えられる。買取者は、プラスチックカードの真贋や取引の正当性を的確に見極める必要がある。
【０００５】
特許文献１に記載される発明によると、プラスチックカードの片面に品質保証マークのホログラムを貼ることによって、偽造物の防止を試みている。ホログラムは、家庭に普及している複写機や印刷機では複製することができないので、偽造物の防止のために一定の効果があると言える。２００４年に流通し始めた新紙幣にも使われている。
【０００６】
しかし、ホログラムを作成する装置を入手することは難しくない。よって、プラスチックカードの品質保証マークを模したホログラムを偽造することは不可能ではない。また、偽造したホログラムの質が悪くても、人間が一見しただけでは真贋を判別できないことがある。そのほか、盗まれた貴金属地金が流通する可能性もある。
【０００７】
特に、貴金属地金を業務として取り扱う貴金属商などは、偽造品や盗品に対して十分注意しなければならない。偽造品を買い取ってしまうと自らの損益になってしまうし、盗品を買い取ってしまうと予期せぬトラブルに巻き込まれるおそれがあるからである。また、偽造品や盗品を別の顧客に知らずに販売してしまうと、顧客に対する自社の信頼性を失ってしまうおそれがある。
【０００８】
本発明は、上記のような問題点に鑑み、流通する景品に不正がないかどうかの判別を従来よりも確実に行うことができるようにすることを目的とする。
【課題を解決するための手段】
【０００９】
本発明に係る景品真贋判別方法は、サービスを利用した顧客が当該サービスの提供者から獲得したポイントと交換するための景品である交換用景品の真贋を判別する景品真贋判別方法であって、前記交換用景品に、他の交換用景品と識別するための景品識別情報を記録した記録媒体を設けておき、前記交換用景品を前記ポイントと交換するまでに、当該交換用景品の前記記録媒体から前記景品識別情報を読み取り、読み取った前記景品識別情報を景品識別情報記憶手段に記憶させ、買取店に持ち込まれた前記交換用景品の前記記録媒体から前記景品識別情報を読み取り、買取店に持ち込まれた前記交換用景品の前記記録媒体から読み取った前記景品識別情報が前記景品識別情報記憶手段に記憶されているいずれかの前記景品識別情報と一致する場合に、当該交換用景品が本物であると判別する、ことを特徴とする。
【００１０】
本発明に係る景品流通正当性判別方法は、サービスを利用した顧客が当該サービスの提供者から獲得したポイントと交換するための景品である交換用景品が適正に流通しているものであるか否かを判別する景品流通正当性判別方法であって、前記交換用景品に、他の交換用景品と識別するための景品識別情報を記録した記録媒体を設けておき、前記交換用景品と前記ポイントとの交換を行う際に、当該交換用景品の前記記録媒体から前記景品識別情報を読み取る処理および今回の交換を以前に行われた交換と識別するための交換識別情報を記録した証明書を顧客に対して発行する処理を実行し、前記ポイントと交換された前記交換用景品の前記交換識別情報を、当該交換用景品の前記景品識別情報と対応付けて交換識別情報記憶手段に記憶させ、買取店に持ち込まれた前記交換用景品の前記記録媒体から前記景品識別情報を読み取る処理および当該交換用景品とともに持ち込まれた前記証明書に記録されている前記交換識別情報を入力する処理を実行し、買取店に持ち込まれた前記交換用景品の前記記録媒体から読み取った前記景品識別情報に対応する、前記交換識別情報記憶手段に記憶されている前記交換識別情報と入力した前記交換識別情報とが一致する場合に、当該交換用景品が適正に流通しているものであると判別する、ことを特徴とする。
【００１１】
前記記録媒体として、ＩＣタグを用いるのが望ましい。そして、ＩＣタグと交換用景品とを、ケースに、取り出すことができないように入れておくのが望ましい。
【００１２】
なお、本発明において、サービスとは、クレジットカードによる信用販売、融資、人または荷物の輸送、散髪、クリーニング、飲食品の提供、美容のアドバイス、マッサージ、チケットの予約販売、カタログギフト、パチンコなどの遊技施設の提供、または商品の販売などの種々の役務の提供を言う。
【発明を実施するための最良の形態】
【００１３】
図１は景品管理システムＫＭＳの全体的な構成の例を示す図、図２は貴金属地金景品ＫＮＰの構成の例を示す図、図３は取引管理サーバ１０のハードウェア構成の例を示す図、図４は取引管理サーバ１０の機能的構成の例を示す図、図５は卸部門端末装置１３のハードウェア構成の例を示す図、図６は買取店端末装置１４の機能的構成の例を示す図、図７はカード会社端末装置２のハードウェア構成の例を示す図、図８はカード会社端末装置２の機能的構成の例を示す図である。
【００１４】
図１に示すように、本発明に係る景品管理システムＫＭＳは、取引管理サーバ１０、卸部門端末装置１３、買取店端末装置１４、カード会社端末装置２、および通信回線３などによって構成される。
【００１５】
取引管理サーバ１０と卸部門端末装置１３、買取店端末装置１４、およびカード会社端末装置２とは、通信回線３を介して互いに接続されている。通信回線３として、インターネット、公衆回線、または専用線などが用いられる。
【００１６】
取引管理サーバ１０、卸部門端末装置１３、および買取店端末装置１４は、金、銀、または白金などの貴金属地金を取り扱う貴金属商によって運営される。または、この貴金属商から委託を受けた企業によって運営される。この貴金属商は、クレジットカード会社への貴金属地金の卸売および市場に流通している貴金属地金の買取を行っている。以下、貴金属商Ｋ１がクレジットカード会社Ｃ１に貴金属地金を卸す場合を例に説明する。
【００１７】
クレジットカード会社Ｃ１は、加入者である顧客に対してクレジットカードを発行する。顧客は、自分のクレジットカードを用いて代金後払いによるショッピングをしたり現金の融資を受けたりすることができる。さらに、顧客は、これらのサービスを受けるごとに、その金額などに応じたポイントがクレジットカード会社Ｃ１から与えられ、獲得したポイント数に応じて景品と交換してもらうことができる。その景品の１つとして、貴金属地金が用いられる。なお、ポイントは、「サービスポイント」などと呼ばれることがある。または、航空会社が顧客の利用距離に応じて景品を与えるサービスの名称を真似て「マイレージ」、「マイル」、または「マイルポイント」などと呼ばれることもある。
【００１８】
貴金属商Ｋ１は、貴金属地金を、景品として取り扱いやすくするために、図２に示すようにケースに入れてクレジットカード会社Ｃ１に卸す。さらに、ケースには、ＩＣタグ６を設けておく。ＩＣタグ６は、ケースを壊さなければ取り出すことができないように設けられている。ＩＣタグ６には、他のＩＣタグ６と識別するためのユニークな識別番号が記憶されている。したがって、貴金属地金の景品は、このようなＩＣタグ６が設けられることによって、識別番号が与えられる。ＩＣタグは、ＲＦＩＤ（Radio Frequency Identification）タグまたはＩＣラベルなどと呼ばれることもある。
【００１９】
クレジットカード会社Ｃ１は、このようなケースに入れられた貴金属地金をポイントと引換えに景品として顧客に与える。以下、このようなケースに入れられた景品用の貴金属地金を「貴金属地金景品ＫＮＰ」と記載する。
【００２０】
カード会社端末装置２は、クレジットカード会社Ｃ１における景品の取扱いを担当する部門（例えば、景品の流通センター）などに設置されている。
【００２１】
取引管理サーバ１０は、貴金属商Ｋ１の情報管理部門などに設置される。卸部門端末装置１３は、クレジットカード会社Ｃ１に貴金属地金景品ＫＮＰを卸す部門（以下、「卸部門」と記載する。）に設置される。買取店端末装置１４は、貴金属地金の買取を行う店舗（以下、「買取店」と記載する。）ごとに設置される。
【００２２】
取引管理サーバ１０は、図３に示すように、ＣＰＵ１０ａ、ＲＡＭ１０ｂ、ＲＯＭ１０ｃ、磁気記憶装置１０ｄ、通信インタフェース１０ｅ、および入出力インタフェース１０ｆなどによって構成される。磁気記憶装置１０ｄには、図４に示すような景品情報登録処理部１０１、交換情報登録処理部１０２、正当性判別部１０３、判別結果通知部１０４、買取情報登録処理部１０５、登録要求情報受信部１０６、交換情報受信部１０７、買取情報受信部１０８、問合せ情報受信部１０９、および景品データベース１０Ｋなどの機能を実現するためのプログラムおよびデータが記憶されている。これらのプログラムおよびデータは、必要に応じてＲＡＭ１０ｂにロードされ、ＣＰＵ１０ａによってプログラムが実行される。
【００２３】
卸部門端末装置１３は、図５に示すように、ＣＰＵ１３ａ、ＲＡＭ１３ｂ、ＲＯＭ１３ｃ、磁気記憶装置１３ｄ、通信インタフェース１３ｅ、入出力インタフェース１３ｆ、およびビデオインタフェース１３ｇなどによって構成される。卸部門端末装置１３には、ビデオインタフェース１３ｇを介して液晶ディスプレイなどの表示装置ＤＳ３が接続されている。また、入出力インタフェース１３ｆを介してＩＣタグリーダライタＲＳ３およびキーボードまたはマウスなどの入力装置ＮＳ３が接続されている。
【００２４】
磁気記憶装置１３ｄには、ＩＣタグリーダライタＲＳ３がＩＣタグ６から読み取った情報を入力する処理およびその情報を取引管理サーバ１０に送信する処理などを実行するためのプログラムおよびデータが記憶されている。
【００２５】
買取店端末装置１４も、卸部門端末装置１３と同様のハードウェア構成を有しており、各種インタフェースを介して表示装置ＤＳ４、ＩＣタグリーダライタＲＳ４、および入力装置ＮＳ４などが接続されている（図１参照）。ただし、磁気記憶装置には、図６に示すような証明書識別番号受付部１４１、景品識別番号受付部１４２、景品正当性問合せ部１４３、判別結果情報受信部１４４、および買取情報送信部１４５などの機能を実現するためのプログラムおよびデータが記憶されている。
【００２６】
カード会社端末装置２も、卸部門端末装置１３および買取店端末装置１４と同様に、図７に示すように、ＣＰＵ２０ａ、ＲＡＭ２０ｂ、ＲＯＭ２０ｃ、磁気記憶装置２０ｄ、通信インタフェース２０ｅ、入出力インタフェース２０ｆ、およびビデオインタフェース２０ｇなどによって構成される。ただし、入出力インタフェース２０ｆには、サーマルプリンタＰＲ２およびＩＣタグリーダライタＲＳ２などが接続されている。また、磁気記憶装置２０ｄには、図８に示すような景品識別番号取得部２０１、証明書識別番号決定部２０２、景品交換情報送信部２０３、証明書識別番号履歴記憶部２０４、および証明書発行部２０５などの機能を実現するためのプログラムおよびデータが記憶されている。
【００２７】
以下、取引管理サーバ１０、卸部門端末装置１３、買取店端末装置１４、およびカード会社端末装置２の各部の処理内容を、貴金属商Ｋ１が貴金属地金景品ＫＮＰをクレジットカード会社Ｃ１に卸すための処理、貴金属地金景品ＫＮＰを顧客の獲得したポイントと交換するための処理、および貴金属商Ｋ１が顧客から貴金属地金景品ＫＮＰを買い取るための処理に大別して説明する。
【００２８】
〔貴金属商が貴金属地金景品をクレジットカード会社に卸すための処理〕
図９は景品データベース１０Ｋの例を示す図である。
【００２９】
図４において、取引管理サーバ１０の景品データベース１０Ｋには、図９に示すように、クレジットカード会社Ｃ１に卸す貴金属地金景品ＫＮＰに関する景品情報７０（７０１、７０２、…）が格納されている。１つの貴金属地金景品ＫＮＰに対して１つの景品情報７０が与えられる。景品情報７０の「景品識別番号」は、その貴金属地金景品ＫＮＰを他の貴金属地金景品ＫＮＰと識別するための識別情報である。「貴金属種別」は、その貴金属地金景品ＫＮＰに含まれる貴金属地金の種類および質量を示している。「交換日」は、その貴金属地金景品ＫＮＰが顧客のポイントと交換された日付を示している。「買取日」は、その貴金属地金景品ＫＮＰが貴金属商Ｋ１に買い取られた日付を示している。「ステータス」は、その貴金属地金景品ＫＮＰが現在どのような状況にあるのかを示している。「警告回数」は、その貴金属地金景品ＫＮＰに関して発せられた警告の回数を示している。「証明書識別番号」については、後に説明する。
【００３０】
景品情報７０は、例えば次のようにして景品データベース１０Ｋに格納される。貴金属商Ｋ１の卸部門の従業員は、クレジットカード会社Ｃ１に卸すための貴金属地金景品ＫＮＰを用意すると、卸部門端末装置１３に接続されているＩＣタグリーダライタＲＳ３（図１、図５参照）をその貴金属地金景品ＫＮＰに近付ける。すると、ＩＣタグリーダライタＲＳ３は、その貴金属地金景品ＫＮＰのＩＣタグ６から、そのＩＣタグ６固有の識別番号を読み取る。以下、読み取った識別番号を「景品識別番号ＫＢ」と記載する。さらに、従業員は、入力装置ＮＳ３を操作するなどして、貴金属地金景品ＫＮＰの貴金属種別（貴金属地金の種類および質量）を入力する。
【００３１】
そして、卸部門端末装置１３は、ＩＣタグリーダライタＲＳ３が読み取った各貴金属地金景品ＫＮＰの景品識別番号ＫＢおよび貴金属種別を示す情報を登録要求情報７１として取引管理サーバ１０に送信する。
【００３２】
取引管理サーバ１０の登録要求情報受信部１０６は、卸部門端末装置１３から登録要求情報７１を受信する。すると、景品情報登録処理部１０１は、新たな景品情報７０を生成して景品データベース１０Ｋに登録し、受信した登録要求情報７１に示される景品識別番号ＫＢおよび貴金属種別をそれぞれ「景品識別番号」および「貴金属種別」のフィールドに格納する。「警告回数」には、初期値である「０」を格納する。「ステータス」には、その貴金属地金景品ＫＮＰに対して管理情報（すなわち景品情報７０）が発行された旨を示す「発行済」という値を格納する。「交換日」、「証明書識別番号」、および「買取日」は、空欄にしておく。景品データベース１０Ｋに景品情報７０が登録された貴金属地金景品ＫＮＰは、貴金属商Ｋ１からクレジットカード会社Ｃ１に出荷される。
【００３３】
なお、貴金属地金景品ＫＮＰが複数個ある場合は、１つずつ上記の景品識別番号ＫＢの読取り、貴金属種別の入力、卸部門端末装置１３から取引管理サーバ１０への登録要求情報７１の送信、および景品情報７０の格納の処理を行う。
【００３４】
〔貴金属地金景品を顧客の獲得したポイントと交換するための処理〕
図１０は取引証明書ＫＳＲの例を示す図、図１１は景品データベース１０Ｋの例を示す図である。
【００３５】
クレジットカード会社Ｃ１のサービスを利用することによってポイントを獲得した顧客は、従来と同様に、カタログやクレジットカード会社Ｃ１のＷｅｂページなどを参照しながら自分の欲しい景品を探す。そして、自分の持っているポイントの範囲内で交換できる景品を、クレジットカード会社Ｃ１に対して、電話、はがき、またはＷｅｂページなどを介して申し込む。
【００３６】
すると、クレジットカード会社Ｃ１の従業員は、従来と同様に、交換のための処理を行う。ただし、貴金属地金景品ＫＮＰの申込があった場合は、例えば次のような手順で貴金属地金景品ＫＮＰを顧客に渡すための処理を行う。
【００３７】
従業員は、交換対象の貴金属地金景品ＫＮＰを保管場所から取り出し、その貴金属地金景品ＫＮＰを、カード会社端末装置２に接続されているＩＣタグリーダライタＲＳ２に近付ける。すると、ＩＣタグリーダライタＲＳ２は、その貴金属地金景品ＫＮＰのＩＣタグ６から景品識別番号ＫＢを読み取る。複数の貴金属地金景品ＫＮＰと交換する場合は、これらすべての貴金属地金景品ＫＮＰから景品識別番号ＫＢを読み取る。カード会社端末装置２は、読み取った貴金属地金景品ＫＮＰの種類および個数および申込を行った顧客の識別情報（例えば、カード番号）などを示す情報を既存のポイント管理システムに送信する。そして、ポイント管理システムは、係る情報に基づいて、従来と同様に、顧客の合計ポイントから今回の交換分のポイントを引き落とすなどの処理を実行する。
【００３８】
図８において、景品識別番号取得部２０１は、ＩＣタグリーダライタＲＳ２が読み取った１つまたは複数の景品識別番号ＫＢを取得する。証明書識別番号決定部２０２、証明書識別番号履歴記憶部２０４、および証明書発行部２０５は、今回の貴金属地金景品ＫＮＰとポイントとの交換すなわち取引を証明する証明書を顧客に対して発行するための処理を行う。発行された証明書は、後に説明するように、顧客が自分のポイントと貴金属地金景品ＫＮＰとを適正に交換したことを証明するために用いられる。以下、この証明用のレシートを「取引証明書ＫＳＲ」と記載する。取引証明書ＫＳＲは、例えば次のようにして発行される。
【００３９】
証明書識別番号履歴記憶部２０４は、過去に発行した取引証明書ＫＳＲの識別番号（以下、「証明書識別番号ＲＢ」と記載する。）を記憶している。証明書識別番号決定部２０２は、証明書識別番号履歴記憶部２０４が記憶しているいずれの証明書識別番号ＲＢとも重複しないユニークな番号を選び、これを、今回発行する取引証明書ＫＳＲの証明書識別番号ＲＢに決定する。
【００４０】
そして、証明書発行部２０５は、証明書識別番号決定部２０２によって決定された証明書識別番号ＲＢ、顧客が今回の交換に使用したポイントの点数、そのポイントと交換した貴金属地金景品ＫＮＰの貴金属種別、および交換日などの情報を用紙に印刷することによって、図１０に示すような取引証明書ＫＳＲを発行する。または、磁気ストライプ付きの用紙に印刷し、磁気ストライプにもこれらの情報を記憶させておいてもよい。この取引証明書ＫＳＲは、貴金属地金景品ＫＮＰとともに顧客に郵送されまたは直接手渡しされる。
【００４１】
景品交換情報送信部２０３は、景品識別番号取得部２０１によって取得された景品識別番号ＫＢ（すなわち、今回交換された貴金属地金景品ＫＮＰの景品識別番号ＫＢ）、交換日、および証明書発行部２０５が発行した証明書識別番号ＲＢなどを示す情報を、交換情報７２として取引管理サーバ１０に送信する。
【００４２】
図４において、取引管理サーバ１０の交換情報受信部１０７は、カード会社端末装置２から交換情報７２を受信する。交換情報登録処理部１０２は、その交換情報７２の内容を、次のように景品情報７０に登録する。
【００４３】
交換情報７２に示される景品識別番号ＫＢに対応する景品情報７０を、景品データベース１０Ｋ（図９参照）の中から検索する。検索された景品情報７０の「交換日」および「証明書識別番号」のそれぞれのフィールドに、交換情報７２に示される交換日および景品識別番号ＫＢの値を格納する。「ステータス」の内容を、「発行済」から、ポイントとの交換が行われ顧客に渡された旨を示す「交換済」という値に更新する。このようにして、交換情報７２の内容が景品情報７０に登録される。
【００４４】
交換情報７２に複数の景品識別番号ＫＢが示されている場合は、これらすべての景品識別番号ＫＢに対応する景品情報７０に対して上記の登録処理を実行する。例えば、交換情報７２に「Ｋ０００１」、「Ｋ０００２」、および「Ｋ０００３」の３つの景品識別番号ＫＢが示される場合は、図１１に示すように３つの景品情報７０（７０１、７０２、７０３）に対して登録処理を実行する。
【００４５】
〔貴金属商が顧客から貴金属地金景品を買い取るための処理〕
図１２は正当性判別処理の流れの例を説明するフローチャートである。
【００４６】
顧客は、クレジットカード会社Ｃ１から貰った貴金属地金景品ＫＮＰを貴金属商Ｋ１に買い取ってもらうことができる。この場合は、顧客は、貴金属商Ｋ１が運営する買取店に、貴金属地金景品ＫＮＰとともに、クレジットカード会社Ｃ１で発行してもらった取引証明書ＫＳＲを持参する。
【００４７】
買取店の店員は、顧客が持参した貴金属地金景品ＫＮＰおよび取引証明書ＫＳＲを受け取り、店内に設置されている買取店端末装置１４のＩＣタグリーダライタＲＳ４（図１参照）にその貴金属地金景品ＫＮＰを近付ける。すると、ＩＣタグリーダライタＲＳ４は、その貴金属地金景品ＫＮＰのＩＣタグ６から景品識別番号ＫＢを読み取る。また、店員は、受け取った取引証明書ＫＳＲに記載されている証明書識別番号ＲＢを入力装置ＮＳ４を操作して入力する。磁気ストライプ付きの取引証明書ＫＳＲである場合は、磁気カードリーダによって入力してもよい。顧客が取引証明書ＫＳＲを紛失してしまい、持参しなかった場合は、その旨を示す番号（例えば、「０」）を証明書識別番号ＲＢとして入力する。
【００４８】
図６において、証明書識別番号受付部１４１は、入力装置ＮＳ４によって入力された証明書識別番号ＲＢを受け付ける処理を行う。景品識別番号受付部１４２は、ＩＣタグリーダライタＲＳ４によって読み取られた景品識別番号ＫＢを受け付ける処理を行う。
【００４９】
景品正当性問合せ部１４３は、受け付けられたこれらの証明書識別番号ＲＢおよび景品識別番号ＫＢを示す問合せ情報７３を送信することによって、今回持ち込まれた貴金属地金景品ＫＮＰの真贋および流通の適正に関して取引管理サーバ１０に対して問い合わせる。
【００５０】
図４において、問合せ情報受信部１０９は、買取店端末装置１４から問合せ情報７３を受信する。正当性判別部１０３は、その問合せ情報７３などに基づいて、例えば図１２に示すような手順で、買取店に持ち込まれた貴金属地金景品ＫＮＰに関するチェックを行う。
【００５１】
問合せ情報７３に示される景品識別番号ＫＢに対応する景品情報７０を景品データベース１０Ｋ（図１１参照）から検索する（図１２の＃１０１）。
【００５２】
対応する景品データベース１０Ｋを検索できた場合は（＃１０２でＹｅｓ）、その景品情報７０のステータスをチェックし（＃１０３）、さらに、景品情報７０の証明書識別番号と受信した問合せ情報７３に示される証明書識別番号ＲＢとを比較する（＃１０５）。その結果、ステータスが「交換済」でありかつ両番号が一致した場合は（＃１０４でＹｅｓかつ＃１０６でＹｅｓ）、今回持ち込まれた貴金属地金景品ＫＮＰは本物でありかつ適正なものであると判別する（＃１０７）。
【００５３】
一方、対応する景品情報７０が検索できなかった場合は（＃１０２でＮｏ）、持ち込まれた貴金属地金景品ＫＮＰは偽造品であるので買い取るべきでないと判別する（＃１０８）。
【００５４】
景品情報７０を検索できたが、その景品情報７０のステータスが「交換済」でない場合は（＃１０２でＹｅｓかつ＃１０４でＮｏ）、持ち込まれた貴金属地金景品ＫＮＰのＩＣタグ６がクレジットカード会社Ｃ１において正しく読み取られなかった可能性、貴金属地金景品ＫＮＰを他の顧客から譲り受けた可能性、またはその貴金属地金景品ＫＮＰが盗品であったり関係者が横流しした不正品であったりする可能性がある。また、ステータスが「交換済」であっても、景品情報７０の証明書識別番号と受信した問合せ情報７３に示される証明書識別番号ＲＢとが一致しない場合も（＃１０４でＹｅｓかつ＃１０６でＮｏ）、同様の可能性がある。または、取引証明書ＫＳＲを紛失した可能性がある。そこで、貴金属商Ｋ１が貴金属地金景品ＫＮＰを来店者から適切に買い取ることができるように、例えば次のような処理を行う。
【００５５】
その景品情報７０の現在の警告回数に「１」を加算する（＃１０９）。その結果、警告回数が所定の値（例えば、３回）を超えた場合は（＃１１０でＹｅｓ）、その貴金属地金景品ＫＮＰが不正に取得されたものでありかつ過去に何度か売却しようとされたことがある可能性が大きいので、その貴金属地金景品ＫＮＰを買い取ることはできないと判別する（＃１１１）。所定の値を超えていない場合は（＃１１０でＮｏ）、貴金属地金景品ＫＮＰを注意して買い取るべきであると判別する（＃１１２）。
【００５６】
なお、複数の貴金属地金景品ＫＮＰの景品識別番号ＫＢが問合せ情報７３に示されている場合は、それぞれの貴金属地金景品ＫＮＰについて、図１２の処理を実行する。
【００５７】
図４の判別結果通知部１０４は、正当性判別部１０３による判別結果を示す判別結果情報７４を、問合せ元の買取店端末装置１４に送信する。
【００５８】
図６において、買取店端末装置１４の判別結果情報受信部１４４は、取引管理サーバ１０から判別結果情報７４を受信する。そして、その内容を表示装置ＤＳ４に表示するなどして出力する。
【００５９】
店員は、その内容を見て、持ち込まれた貴金属地金景品ＫＮＰを買い取ってもよいか否かを決定する。すなわち、その貴金属地金景品ＫＮＰが本物でありかつ適正なものである旨の結果が得られた場合は、貴金属地金景品ＫＮＰを買い取ってもよいと決定する。注意して買い取るべきである旨の結果が得られた場合は、来店者またはクレジットカード会社Ｃ１から事情を聞きまたは来店者に身分証明書を提示してもらい身分を確認するなどし、その結果、不正がないものと判断できるのであれば、買い取ってもよいと決定する。貴金属地金景品ＫＮＰが偽造品である旨の結果が得られた場合または買い取ることはできない旨の判別結果が得られた場合は、買取を拒否すると決定する。店員は、買い取ってもよいと決定した場合は、入力装置ＮＳ４を操作するなどして、買取処理の指令を買取店端末装置１４に入力する。そして、貴金属地金景品ＫＮＰを所定の価格で買い取る。
【００６０】
買取情報送信部１４５は、買取処理の指令がなされると、その買い取られた貴金属地金景品ＫＮＰの景品識別番号ＫＢおよび買取日を示す買取情報７５を取引管理サーバ１０に送信する。
【００６１】
なお、取引管理サーバ１０からの判別結果情報７４に貴金属地金景品ＫＮＰが偽造品である旨または買い取ることはできない旨が示される場合は、買取情報送信部１４５は、店員の指令を拒否して買取情報７５の送信を中止するとともに、買取を止めるべき旨の警告を出力してもよい。
【００６２】
図４において、買取情報受信部１０８は、買取店端末装置１４から買取情報７５を受信する。買取情報登録処理部１０５は、その買取情報７５の内容を、次のように景品情報７０に登録する。
【００６３】
買取情報７５に示される景品識別番号ＫＢに対応する景品情報７０を、景品データベース１０Ｋ（図１１参照）の中から検索する。検索された景品情報７０の「買取日」に、買取情報７５に示される買取日の値を格納する。「ステータス」の内容を、買取が行われた旨を示す「買取済」という値に更新する。このようにして、買取情報７５の内容が景品情報７０に登録される。なお、買取情報７５に複数の景品識別番号ＫＢが示されている場合は、これらすべての景品識別番号ＫＢに対応する景品情報７０に対して上記の登録処理を実行する。
【００６４】
図１３は取引管理サーバ１０の全体的な処理の流れの例を説明するフローチャートである。
【００６５】
次に、本実施形態における貴金属地金景品ＫＮＰの取扱い方法について、図１３に示す取引管理サーバ１０の処理の流れを参照して説明する。
【００６６】
貴金属商Ｋ１は、クレジットカード会社Ｃ１に卸す貴金属地金景品ＫＮＰを用意すると、卸部門端末装置１３のＩＣタグリーダライタＲＳ３を用いてその貴金属地金景品ＫＮＰのＩＣタグ６から景品識別番号ＫＢを読み取る。読み取られた景品識別番号ＫＢは、登録要求情報７１として卸部門端末装置１３から取引管理サーバ１０に送信される。これにより、貴金属地金景品ＫＮＰの管理のための情報を登録すべき旨の要求が取引管理サーバ１０に対してなされる。
【００６７】
取引管理サーバ１０は、登録要求情報７１を受信すると（図１３の＃１１、＃１２でＹｅｓ）、その登録要求情報７１に基づいて、今回クレジットカード会社Ｃ１に卸される貴金属地金景品ＫＮＰの景品情報７０を生成し（＃１３）、これを景品データベース１０Ｋ（図９参照）に格納して登録する（＃１４）。これにより、その貴金属地金景品ＫＮＰの管理が開始される。
【００６８】
クレジットカード会社Ｃ１は、顧客の獲得したポイントと貴金属地金景品ＫＮＰとを交換する場合は、カード会社端末装置２のＩＣタグリーダライタＲＳ２を用いてその貴金属地金景品ＫＮＰのＩＣタグ６から景品識別番号ＫＢを読み取る。さらに、交換したことを証明する取引証明書ＫＳＲを発行する。貴金属地金景品ＫＮＰおよび取引証明書ＫＳＲは、郵送などによって顧客に渡される。そして、その貴金属地金景品ＫＮＰの景品識別番号ＫＢ、取引証明書ＫＳＲの証明書識別番号ＲＢ、および交換日を示す交換情報７２が、カード会社端末装置２から取引管理サーバ１０に送信される。
【００６９】
取引管理サーバ１０は、交換情報７２を受信すると（＃１１、＃１２でＮｏ、＃１５でＹｅｓ）、その交換情報７２に基づいて今回交換された貴金属地金景品ＫＮＰの景品情報７０を景品データベース１０Ｋの中から検索し（＃１６）、交換情報７２に示される交換日および証明書識別番号ＲＢをその景品情報７０に書き込むとともにステータスを「交換済」に更新する（＃１７）。これにより、その貴金属地金景品ＫＮＰが顧客に渡ったことが記録される。
【００７０】
貴金属商Ｋ１の買取店は、来店者が貴金属地金景品ＫＮＰを貴金属商Ｋ１に買い取ってもらいたいと申し出た場合は、買取店端末装置１４のＩＣタグリーダライタＲＳ４を用いてその貴金属地金景品ＫＮＰのＩＣタグ６から景品識別番号ＫＢを読み取る。また、その来店者から取引証明書ＫＳＲを受け取り、それに記載されている証明書識別番号ＲＢを入力する。これらの景品識別番号ＫＢおよび証明書識別番号ＲＢは、問合せ情報７３として、買取店端末装置１４から取引管理サーバ１０に送信される。これにより、貴金属地金景品ＫＮＰの真贋および適正（正当に来店者に渡ったものであるか否か）に関する問合せが取引管理サーバ１０に対してなされる。
【００７１】
取引管理サーバ１０は、問合せ情報７３を受信すると（＃１１、＃１２でＮｏ、＃１５でＮｏ、＃１８でＹｅｓ）、その問合せ情報７３に基づいて今回買取を依頼された貴金属地金景品ＫＮＰの景品情報７０を景品データベース１０Ｋの中から検索し（＃１９）、その景品情報７０および問合せ情報７３に基づいて真贋および適正などを判別する（＃２０）。判別の処理は、前に図１２で説明した通りである。そして、その判別結果を示す判別結果情報７４を問合せ元の買取店端末装置１４に送信する（＃２１）。
【００７２】
買取店は、取引管理サーバ１０から送信されてきた判別結果情報７４を参照して、来店者が持ち込んだ貴金属地金景品ＫＮＰを買い取るか否かを決定する。買い取る場合は、買取処理の指令を買取店端末装置１４に入力する。すると、その貴金属地金景品ＫＮＰの景品識別番号ＫＢおよび買取日を示す買取情報７５が買取店端末装置１４から取引管理サーバ１０に送信される。これにより、貴金属地金景品ＫＮＰを来店者から買い取った旨が取引管理サーバ１０に報告される。
【００７３】
取引管理サーバ１０は、買取情報７５を受信すると（＃１１、＃１２でＮｏ、＃１５でＮｏ、＃１８でＮｏ、＃２２でＹｅｓ）、その買取情報７５に基づいて、今回買い取った貴金属地金景品ＫＮＰの景品情報７０を景品データベース１０Ｋから検索し（＃２３）、その景品情報７０に交換日を書き込むとともにステータスを「買取済」に更新する（＃２４）。
【００７４】
ステップ＃１１〜＃２４の処理は、クレジットカード会社Ｃ１がポイントと貴金属地金景品ＫＮＰとの交換業務を行っている間、または、貴金属商Ｋ１の買取店がその日の営業を行っている間、適宜実行される。
【００７５】
本実施形態によると、偽造された貴金属地金景品ＫＮＰおよび盗まれたおそれのある貴金属地金景品ＫＮＰなど不正のある貴金属地金景品ＫＮＰを、買取前に判別することができる。これにより、不正を働こうとする者を牽制し、不正な貴金属地金景品ＫＮＰの流通および取引を抑制することができる。
【００７６】
本実施形態では、貴金属地金景品ＫＮＰにＩＣタグを設けたが、他の記録媒体を設けてもよい。例えば、磁気ストライプを設けてもよい。この場合は、卸部門端末装置１３、買取店端末装置１４、およびカード会社端末装置２には、ＩＣタグリーダライタの代わりに磁気カードリーダを接続すればよい。
【００７７】
貴金属地金がＩＣタグリーダライタＲＳ２〜ＲＳ４とＩＣタグ６との間で送受信される電波の障害にならないようにするために、電磁波を遮断するシートで貴金属地金を覆ってもよい。または、貴金属地金を用いてＩＣタグ６を形成し、ＩＣタグ６を景品としてもよい。
【００７８】
本実施形態では、貴金属種別、交換日、証明書識別番号、ステータス、買取日、および警告回数に関する情報を景品データベース１０Ｋに記憶させたが、これらの情報の全部または一部を貴金属地金景品ＫＮＰのＩＣタグ６に記憶させるようにしてもよい。
【００７９】
取引管理サーバ１０を２台用意し、１台を運用系として用い、もう１台を待機系として用いてもよい。そして、運用系の取引管理サーバ１０がダウンした場合に、待機系に切り換えて貴金属地金景品ＫＮＰの管理のための処理を行うようにすればよい。
【００８０】
本実施形態では、貴金属地金景品ＫＮＰを、クレジットカード会社Ｃ１が顧客に対して発行するポイントの交換用の景品として用いる場合を例に説明したが、他の用途に用いる場合にも、本発明を適用することが可能である。例えば、百貨店が顧客に対して発行するポイントの交換用の景品、航空会社が顧客に対して発行するマイレージ（マイル）の交換用の景品として貴金属地金景品ＫＮＰを用いてもよい。または、結婚祝いまたは出産祝いなどのお返しや、お中元、お歳暮を貰った人がカタログの中から欲しい品物を自由に選ぶシステム（いわゆるカタログギフト）の１品として、貴金属地金景品ＫＮＰを用いてもよい。
【００８１】
または、パチンコ店の景品として用いてもよい。この場合は、カード会社端末装置２に相当する端末装置を、パチンコ店のカウンタに設けておく。そして、遊技媒体すなわちパチンコ玉またはメダルなどと引換えに貴金属地金景品ＫＮＰを遊技者に渡すようにすればよい。
【００８２】
カード会社端末装置２をクレジットカード会社Ｃ１だけでなく、他のクレジットカード会社、百貨店などの小売店、航空会社、カタログギフトを取り扱う会社、またはパチンコ店など、貴金属地金景品ＫＮＰをポイントなどと交換する会社または店ごとに設置し、景品管理システムＫＭＳをこれらの会社または店で共用するようにしてもよい。または、景品管理システムＫＭＳを、複数の貴金属商で共用することもできる。この場合は、卸部門端末装置１３、買取店端末装置１４、およびこれらの周辺機器を各貴金属商に設ける。取引管理サーバ１０は、これらの貴金属商で共用すればよい。
【００８３】
その他、景品管理システムＫＭＳ、取引管理サーバ１０、卸部門端末装置１３、買取店端末装置１４、カード会社端末装置２の全体または各部の構成、処理内容、処理順序、データベースの内容などは、本発明の趣旨に沿って適宜変更することができる。
【００８４】
以上説明した実施形態に関し、さらに以下の付記を開示する。
（付記１）
サービスを利用した顧客が当該サービスの提供者から獲得したポイントと交換するための景品である交換用景品の真贋を判別する景品真贋判別方法であって、
前記交換用景品が当該交換用景品を販売する業者から前記サービスの提供者に対して販売されるまでに、当該交換用景品を他の交換用景品と識別するための識別情報を記録した記録媒体を当該交換用景品に設けておき、
前記交換用景品を前記ポイントと交換するまでに、当該交換用景品の前記記録媒体から前記景品識別情報を読み取り、
読み取った前記景品識別情報を景品識別情報記憶手段に記憶させ、
買取店に持ち込まれた前記交換用景品の前記記録媒体から前記景品識別情報を読み取り、
買取店に持ち込まれた前記交換用景品の前記記録媒体から読み取った前記景品識別情報が前記景品識別情報記憶手段に記憶されているいずれかの前記景品識別情報と一致する場合に、当該交換用景品が本物であると判別する、
ことを特徴とする景品真贋判別方法。
（付記２）
サービスを利用した顧客が当該サービスの提供者から獲得したポイントと交換するための景品である交換用景品が適正に流通しているものであるか否かを判別する景品流通正当性判別方法であって、
前記交換用景品が当該交換用景品を販売する業者から前記サービスの提供者に対して販売されるまでに、当該交換用景品を他の交換用景品と識別するための識別情報を記録した記録媒体を当該交換用景品に設けておき、
前記交換用景品と前記ポイントとの交換を行う際に、当該交換用景品の前記記録媒体から前記景品識別情報を読み取る処理および今回の交換を以前に行われた交換と識別するための交換識別情報を記録した証明書を顧客に対して発行する処理を実行し、
前記ポイントと交換された前記交換用景品の前記交換識別情報を、当該交換用景品の前記景品識別情報と対応付けて交換識別情報記憶手段に記憶させ、
買取店に持ち込まれた前記交換用景品の前記記録媒体から前記景品識別情報を読み取る処理および当該交換用景品とともに持ち込まれた前記証明書に記録されている前記交換識別情報を入力する処理を実行し、
買取店に持ち込まれた前記交換用景品の前記記録媒体から読み取った前記景品識別情報に対応する、前記交換識別情報記憶手段に記憶されている前記交換識別情報と入力した前記交換識別情報とが一致する場合に、当該交換用景品が適正に流通しているものであると判別する、
ことを特徴とする景品流通正当性判別方法。
（付記３）
サービスを利用した顧客が当該サービスの提供者から獲得したポイントと交換するための景品である交換用景品の真贋を判別する景品真贋判別システムであって、
前記交換用景品と前記ポイントと交換するまでに、当該交換用景品を前記サービスの提供者に販売した業者が当該交換用景品に対して与えた、他の交換用景品と識別するための景品識別情報を、当該交換用景品に設けられている記録媒体から読み取る、第一の読取手段と、
前記第一の読取手段によって読み取られた前記景品識別情報を記憶する景品識別情報記憶手段と、
買取店に持ち込まれた前記交換用景品の前記記録媒体から前記景品識別情報を読み取る第二の読取手段と、
前記第二の読取手段によって読み取られた前記景品識別情報が前記景品識別情報記憶手段に記憶されているいずれかの前記景品識別情報と一致する場合に、当該読み取られた景品識別情報に係る前記交換用景品が本物であると判別する、真贋判別手段と、
を有することを特徴とする景品真贋判別システム。
（付記４）
前記記録媒体は、ＩＣタグであり、
前記第一の読取手段および前記第二の読取手段は、ＩＣタグリーダである、
付記３記載の景品真贋判別システム。
（付記５）
サービスを利用した顧客が当該サービスの提供者から獲得したポイントと交換するための景品である交換用景品が適正に流通しているものであるか否かを判別する景品流通正当性判別システムであって、
前記交換用景品と前記ポイントと交換するまでに、当該交換用景品を前記サービスの提供者に販売した業者が当該交換用景品に対して与えた、他の交換用景品と識別するための景品識別情報を、当該交換用景品に設けられている記録媒体から読み取る、第一の読取手段と、
前記交換用景品と前記ポイントとの交換を以前に行われた交換と識別するための交換識別情報を記録した証明書を顧客に対して発行する証明書発行手段と、
前記ポイントと交換された前記交換用景品の前記交換識別情報を、前記第一の読取手段によって読み取られた当該交換用景品の前記景品識別情報と対応付けて記憶する交換識別情報記憶手段と、
買取店に持ち込まれた前記交換用景品の前記記録媒体から前記景品識別情報を読み取る第二の読取手段と、
前記交換用景品とともに持ち込まれた前記証明書に記録されている前記交換識別情報を入力する交換識別情報入力手段と、
前記第二の読取手段によって読み取られた前記交換用景品の前記景品識別情報に対応する、前記交換識別情報記憶手段に記憶されている前記交換識別情報が、前記交換識別情報入力手段によって入力された、当該交換用景品とともに持ち込まれた前記証明書の前記交換識別情報と一致する場合に、当該交換用景品が適正に流通しているものであると判別する、正当性判別手段と、
を有することを特徴とする景品流通正当性判別システム。
（付記６）
遊技者が遊技場で獲得した遊技媒体と交換するための景品である交換用景品の真贋を判別する景品真贋判別方法であって、
前記交換用景品に、他の交換用景品と識別するための景品識別情報を記録した記録媒体を設けておき、
前記交換用景品を前記遊技媒体と交換するまでに、当該交換用景品の前記記録媒体から前記景品識別情報を読み取り、
読み取った前記景品識別情報を景品識別情報記憶手段に記憶させ、
買取店に持ち込まれた前記交換用景品の前記記録媒体から前記景品識別情報を読み取り、
買取店に持ち込まれた前記交換用景品の前記記録媒体から読み取った前記景品識別情報が前記景品識別情報記憶手段に記憶されているいずれかの前記景品識別情報と一致する場合に、当該交換用景品が本物であると判別する、
ことを特徴とする景品真贋判別方法。
（付記７）
遊技者が遊技場で獲得した遊技媒体と交換するための景品である交換用景品が適正に流通しているものであるか否かを判別する景品流通正当性判別方法であって、
前記交換用景品に、他の交換用景品と識別するための景品識別情報を記録した記録媒体を設けておき、
前記交換用景品と前記遊技媒体との交換を行う際に、当該交換用景品の前記記録媒体から前記景品識別情報を読み取る処理および今回の交換を以前に行われた交換と識別するための交換識別情報を記録したレシートを遊技者に対して発行する処理を実行し、
前記遊技媒体と交換された前記交換用景品の前記交換識別情報を、当該交換用景品の前記景品識別情報と対応付けて交換識別情報記憶手段に記憶させ、
買取店に持ち込まれた前記交換用景品の前記記録媒体から前記景品識別情報を読み取る処理および当該交換用景品とともに持ち込まれた前記レシートに記録されている前記交換識別情報を入力する処理を実行し、
買取店に持ち込まれた前記交換用景品の前記記録媒体から読み取った前記景品識別情報に対応する、前記交換識別情報記憶手段に記憶されている前記交換識別情報と入力した前記交換識別情報とが一致する場合に、当該交換用景品が適正に流通しているものであると判別する、
ことを特徴とする景品流通正当性判別方法。
（付記８）
遊技者が遊技場で獲得した遊技媒体と交換するための景品である交換用景品の真贋を判別する景品真贋判別システムであって、
他の交換用景品と識別するための景品識別情報が記憶されている記録媒体が設けられた前記交換用景品と前記遊技媒体とを交換するまでに、当該交換用景品の前記記録媒体から前記景品識別情報を読み取る、第一の読取手段と、
前記第一の読取手段によって読み取られた前記景品識別情報を記憶する景品識別情報記憶手段と、
買取店に持ち込まれた前記交換用景品の前記記録媒体から前記景品識別情報を読み取る第二の読取手段と、
前記第二の読取手段によって読み取られた前記景品識別情報が前記景品識別情報記憶手段に記憶されているいずれかの前記景品識別情報と一致する場合に、当該読み取られた景品識別情報に係る前記交換用景品が本物であると判別する、真贋判別手段と、
を有することを特徴とする景品真贋判別システム。
（付記９）
遊技者が遊技場で獲得した遊技媒体と交換するための景品である交換用景品が適正に流通しているものであるか否かを判別する景品流通正当性判別システムであって、
他の交換用景品と識別するための景品識別情報が記憶されている記録媒体が設けられた前記交換用景品と前記遊技媒体との交換を行う際に、当該交換用景品の前記記録媒体から前記景品識別情報を読み取る、第一の読取手段と、
前記交換用景品と前記遊技媒体との交換を以前に行われた交換と識別するための交換識別情報を記録したレシートを遊技者に対して発行するレシート発行手段と、
前記遊技媒体と交換された前記交換用景品の前記交換識別情報を、前記第一の読取手段によって読み取られた当該交換用景品の前記景品識別情報と対応付けて記憶する交換識別情報記憶手段と、
買取店に持ち込まれた前記交換用景品の前記記録媒体から前記景品識別情報を読み取る第二の読取手段と、
前記交換用景品とともに持ち込まれた前記レシートに記録されている前記交換識別情報を入力する交換識別情報入力手段と、
前記第二の読取手段によって読み取られた前記交換用景品の前記景品識別情報に対応する、前記交換識別情報記憶手段に記憶されている前記交換識別情報が、前記交換識別情報入力手段によって入力された、当該交換用景品とともに持ち込まれた前記レシートの前記交換識別情報と一致する場合に、当該交換用景品が適正に流通しているものであると判別する、正当性判別手段と、
を有することを特徴とする景品流通正当性判別システム。
【産業上の利用可能性】
【００８５】
本発明は、特に貴金属地金の景品の流通の適正化を図るために好適に用いられる。
【図面の簡単な説明】
【００８６】
【図１】景品管理システムの全体的な構成の例を示す図である。
【図２】貴金属地金景品の構成の例を示す図である。
【図３】取引管理サーバのハードウェア構成の例を示す図である。
【図４】取引管理サーバの機能的構成の例を示す図である。
【図５】卸部門端末装置のハードウェア構成の例を示す図である。
【図６】買取店端末装置の機能的構成の例を示す図である。
【図７】カード会社端末装置のハードウェア構成の例を示す図である。
【図８】カード会社端末装置の機能的構成の例を示す図である。
【図９】景品データベースの例を示す図である。
【図１０】取引証明書の例を示す図である。
【図１１】景品データベースの例を示す図である。
【図１２】正当性判別処理の流れの例を説明するフローチャートである。
【図１３】取引管理サーバの全体的な処理の流れの例を説明するフローチャートである。
【符号の説明】
【００８７】
ＫＭＳ  景品管理システム（景品真贋判別システム、景品流通正当性判別システム）
１０３  正当性判別部（真贋判別手段）
１０Ｋ  景品データベース（景品識別情報記憶手段、交換識別情報記憶手段）
２０５  証明書発行部（証明書発行手段）
６  ＩＣタグ（記録媒体）
ＫＢ  景品識別番号（景品識別情報）
ＫＮＰ  貴金属地金景品（交換用景品）
ＫＳＲ  取引証明書（証明書）
ＮＳ４  入力装置（交換識別情報入力手段）
ＰＲ２  サーマルプリンタ（証明書発行手段）
ＲＢ  証明書識別番号（交換識別情報）
ＲＳ２  ＩＣタグリーダライタ（第一の読取手段）
ＲＳ３  ＩＣタグリーダライタ（第一の読取手段）
ＲＳ４  ＩＣタグリーダライタ（第二の読取手段）
【図１】
2006350623.tif 000003
【図２】
2006350623.tif 000004
【図３】
2006350623.tif 000005
【図４】
2006350623.tif 000006
【図５】
2006350623.tif 000007
【図６】
2006350623.tif 000008
【図７】
2006350623.tif 000009
【図８】
2006350623.tif 000010
【図９】
2006350623.tif 000011
【図１０】
2006350623.tif 000012
【図１１】
2006350623.tif 000013
【図１２】
2006350623.tif 000014
【図１３】
2006350623.tif 000015